(57)【要約】      （修正有）【課題】ラップフィルムやアルミロール等のロール体を収納する任意のケース全長幅のみのカットではなく半分の大きさに簡単にカットできるラップカッターつきロール収納ケースカバーを提供する。【解決手段】本体２の蓋部を覆うように背面部が天部と連結した状態で開閉し下面が開口状態となった箱状のカバー１と、背面部左右側辺にそれぞれ設けられケース本体２に差込み固定する挿入片と、カバー１の前面部中央付近で軸止めされたガイド体３と、該ガイド体３側辺に設けられた補助カッター刃４とにより構成され、ガイド体３をケース本体のカッター刃５と交差する位置にした状態でロールシートを左右に分断できるものである。【選択図】図１
2008150107.tif 000002
【特許請求の範囲】
【請求項１】
ラップフィルムやアルミロール等のロール体を収納する任意のケース本体の蓋部を覆うように背面部が天部と連結した状態で開閉し下面が開口状態となった箱状のカバーと、背面部左右側辺にそれぞれ設けられ前記ケース本体に差込み固定する挿入片と、前記カバーの前面部中央付近で軸止めされたガイド体と、該ガイド体側辺に設けられた補助カッター刃とにより構成され、前記ガイド体をケース本体のカッター刃と交差する位置にした状態でロールシートを左右に分断できるものであることを特徴とするロール収納ケースカバー。
【請求項２】
箱状のカバー内面に任意のケース本体との隙間を調整するスポンジやゴム等のクッション材を具備したことを特徴とする請求項１に記載のロール収納ケースカバー。
【請求項３】
ガイド体回動時に任意角度で位置調整するための位置調整機構を備えたことを特徴とする請求項１又は請求項２に記載のロール収納ケースカバー。
【発明の詳細な説明】
【技術分野】
【０００１】  本発明は、カッター付ロール収納ケースカバーに関するものである。
【背景技術】
【０００２】  従来、ラップフィルムやアルミ等のロール状に回転可能に収納する任意のケース本体の蓋部には、ケース本体カッター刃が取り付けてあり、ラップフィルム等を収納ケースの幅で切り離されるが、ラップフイルムを左右に分断する機能はない。
また、ラップフィルムを左右に分断するものには、実開昭５７−１５６４２２公報がある。これは、ラップフィルムを左右に分断するもので、ロール状に回転可能に収納する任意のケースの蓋部にガイド体と補助カッター刃が取り付けてある構成を有するものである。【０００３】
【特許文献１】  実開昭５７−１５６４２２号公報
【発明の開示】
【発明が解決しようとする課題】
【０００４】  ラップフィルムやアルミ等のロール状に回転可能に収納する任意のケースには、ケース本体カッター刃が取り付けてあり、ラップフィルム等を収納ケースの幅で切り離される。小鉢や茶碗、果物をカットしたときなどの小さなものにラップフィルム等の収納ケースの幅のままラップフィルム等を使用する場合、大きすぎ無駄になることがよくある。３０センチの長幅のものの場合など特に半分の大きさにしたい時、鋏などで、ラップフィルム等を切り離そうとしても綺麗に切ることは容易ではない。このように試している人は多く、誰しも経験があるように思われる。ラップフィルム等は、１５センチ幅のものや２２センチ幅のものが、市販されているが割高の値段となっており、消費者にとっては不経済となる。ラップフィルム等の無駄を削減することは、ゴミが削減されるメリットになる。そこで、ラップフィルムを使うのに無駄がなく、小さなものにかけるには半分の幅にカットできて使用できるものが必要となった。しかしながら、このような従来構造のラップフィルム等収納ケースにおいては、既存のケース本体カッター刃以外のラップフィルム等をカットできるカッター刃の機能はなく、鋏等の別の道具によりカットするしか方法がなかった。しかも、鋏では柔らかなラップフィルムは思ったように切ることが困難であった。
また、実開昭５７−１５６４２２公報においては、ガイド体の位置調整ができないことや新たに購入したラップフィルムやアルミ等のロール状に回転可能に収納する任意のケースにはその機能がないため、ラップフィルムを左右に分断できない問題があった。そこで本発明の目的は、新たに購入したラップフィルムやアルミ等のロール状に回転可能に収納する任意のケースにも取り付けられ、ガイド体の位置調整が出来、綺麗にラップフィルムを左右に分断できるロール収納ケースカバーを提供することにある。
【課題を解決するための手段】
【０００５】  以下、課題を解決するための手段として、本発明は、ラップフィルムやアルミロール等のロール体を収納する任意のケース本体の蓋部を覆うように背面部が天部と連結した状態で開閉し下面が開口状態となった箱状のカバーと、背面部左右側辺にそれぞれ設けられ前記ケース本体に差込み固定する挿入片と、前記カバーの前面部中央付近で軸止めされたガイド体と、該ガイド体側辺に設けられた補助カッター刃とにより構成され、前記ガイド体をケース本体のカッター刃と交差する位置にした状態でロールシートを左右に分断できるものである。【０００６】  本発明は、箱状のカバー内面に任意のケース本体との隙間を調整するスポンジやゴム等のクッション材を具備していることを特徴としている。【０００７】  さらに本発明は、ガイド体回動時に任意角度で位置調整するための位置調整機構を備えていることを特徴とする。
【発明の効果】
【０００８】  本発明において、幅の長いフィルムラップ等でも、当補助カッターの使用により、半分の長さに簡単に、しかも綺麗にカット出来、無駄を省き、必要なだけ必要な時に使用できる。ゴミの減量化にもなる。幅の長いフィルムラップを１本で使用する時は、当ロール収納ケースカバーを取り付けたり、外したりして使用し、２本で使用すれば、長い幅のものはそのままケース本体の状態で使用し、半分の長さで使用したいときは、当ロール収納ケースカバーを取り付けたものを使用することで、幅を長くして使いたい時、幅を短くして使いたい場合の両方に取替えの必要なく対応出来、便利に使用できる。【０００９】  さらに、従来構造のラップフィルム等収納ケースは、幅３０ｃｍのものでもメーカーにより、収納ケースの大きさは微妙な違いがある。そのため、任意のケースとの隙間を調整するためのクッション材が当ロール収納ケースカバーには取り付けられていて、収納ケースの微妙な大きさの違いがあっても固定が出来、作業に支障をきたすことがない。【００１０】  また、補助カッターを使用する場合は、ラップフィルムを手前に強く引き、分断するため、ガイド体の回動位置が動くようでは綺麗にラップフィルムを分断することができない。そのため、ガイド体が固定される必要がある。そこで、当ロール収納ケースカバーに取り付けられたガイド体は、任意角度で位置調整し、止まることが出来るのでラップフィルムを手前に強く引いても綺麗にラップフィルムを分断することができる。
【発明を実施するための最良の形態】
【００１１】  以下、本発明の第一実施の形態について図１から図１１を用いて説明する。図１は本発明の使用状態図、図２は本発明の使用状態図、図３は本発明の使用説明図、図４は本発明の補助カッター刃使用説明図、図５は本発明の補助カッター刃使用説明図、図６は本発明の補助カッター刃使用説明図、図７は本発明の分解説明図である。図８は本発明の断面図、図９は本発明の分解説明図、図１０は本発明の展開説明図、図１１は本発明の使用説明図である。【００１２】  本発明は、ロール収納ケースカバー１と、ガイド体３と、補助カッター刃４から構成される。【００１３】  ロール収納ケースカバー１は、図９に示すように横長長方形の天部１３に、背面部１２、左右の側面部１４、前面部１５が折り曲げられるように延設されている。背面部１２の左右側辺には折り曲げ部を介して挿入片１１がそれぞれ設けられている。また、前面部１５の左右側辺には折り曲げ部を介して側面接着部１６が設けられている。側面接着部１６のそれぞれの折り曲げ部を折り、組み立て、側面部１４と側面接着部１６を貼り合わせることにより、下面が開口状態となった箱状に出来る。ロール収納ケースカバー１は本目的を果たす箱を形成するものであり、厚紙、或いは、ポリプロピレン、スチール等に限定するものではない。ロール収納ケースカバー１の背面側部両脇には挿入片１１が設けられている。挿入片１１は  ロール収納ケース本体２背面側部両脇の隙間に差し込むもので、差込易くするために、先端が三角或いは三角の頂点が丸くなった形である。これにより、このロール収納ケースカバー１と、ロール収納ケース本体２との固定がしっかり出来ることとなる。クッション材１０は、ロール収納ケース本体２とロール収納ケースカバー１の隙間を調整するためのものである。クッション材１０の素材はスポンジやゴムその他隙間と隙間を埋める役割を果たすものであればこれらの素材に限定するものではない。クション材１０は何度でも貼り付け、取り外し可能な粘着テープ付きであり、取り付け位置は図１０に示すように、ロール収納ケースカバー１の裏面の前面部と背面部に取り付けるが、個数及び取り付け位置を厳密に限定するものではない。挿入片１１と  クション材１０には、ロール収納ケース本体２が、若干の大きさの異なる任意のケース本体の大きさのずれがあるため、それを補い、固定する機能を持つ。尚、任意の限定されたロール収納ケースに使用する場合は、ファンクション材を省くことも可能である。【００１４】  ガイド体３は、図５、図６に示すように固定板１７と可動板１８からなり、固定板１７が前記カバーの前面部中央付近で軸止め部６により、軸止め或いは、貼り付けられている。図４に示すように該ガイド体の可動板１８側辺に設けられた補助カッター刃４は、前記ガイド体の可動板をケース本体のカッター刃と交差する位置にした状態でロールシートを左右に分断できるものである。該ガイドは、従来の回転規定等に用いられる相互部材の凹凸形状の組合せ等のように、回動時に任意角度で位置調整するための位置調整機構を備えている。【００１５】  該ガイドの素材は、利用目的に耐える硬度であり、厚紙、或いは、ポリプロピレン、スチール等に限定するものではない。【���０１６】  以下、その使い方に関して説明する。本発明を使用するときは、図１１に示すように、ロール収納ケースカバー１の天面部１３とロール収納ケース本体２の天部を合わせ、背面部左右側辺にそれぞれ設けられた差込み固定する挿入片１１を、ロール収納ケース本体２の背面部左右側辺に差込挿入する。【００１７】  図１１のａのようにロール収納ケース本体２をロール収納ケースカバー１に取り付ける時、その隙間を調整するスポンジやゴム等のクッション材をロール収納ケース本体２に押さえつけ固定する。このロール収納ケースカバー１はロール体を使い終わるまで固定され、使い終わると次に買い換えた新たなロール収納ケース本体に装着、固定でき、何度でも繰り返し使用出来るものである。【００１８】  また、従来どおりロール収納ケース本体２は上下に開口でき、使用に支障をきたすものではない。そして、ロール収納ケースカバー１が取り付けられたロール収納ケース本体２を手前から回転させ、起こし、ラップフィルムを引っ張れるような体勢にする。【００１９】  次に、ロール収納ケースカバー１の前面部中央付近で軸止めされている軸止め部６により、ガイド体３の可動板１８をケース本体のカッター刃と交差する位置にするため、ガイド体回動時に任意角度で位置調整するための位置調整機構６を手で押さえながら、ガイド体側辺に設けられた補助カッター刃４とガイド体３の可動板１８を図４、図６のように開き、中央まで移動させ、図２で示すようにロール収納ケース本体２からラップフィルム７を引き出す。【００２０】  次に図１で示すように、ラップフィルム７を７ａ，７ｂの状態にガイド体３の可動板１８を中央まで引っ張り出し、ガイド体の可動板１８に接着している補助カッター刃４に引き出したラップフィルムを沿わせながらカットし、左右に分断できるものである。分断されて残ったラップフィルム７ｂは次の小さなものをラップする機会にまた使用することが出来る。【００２１】  また、半分に残ったカットしていないラップはそのままロール収納ケースカバー１が取り付けられたロール収納ケース本体２に巻きつけるなどして保管ができる。【００２２】  さらに、２つのロール収納ケース本体があればロール収納ケース本体の幅の長さと同じ長さのラップフィルムと左右半分の長さに分断されるものとどちらの選択も出来、全く不都合はない。【００２３】  本発明は、以上述べた実施例に限定されるものではない。
【図面の簡単な説明】
【００２４】
【図１】  本発明の使用状態図
【図２】  本発明の使用状態図
【図３】  本発明の使用説明図
【図４】  本発明の補助カッター刃使用説明図
【図５】  本発明の補助カッター刃使用説明図
【図６】  本発明の補助カッター刃使用説明図
【図７】  本発明の分解説明図
【図８】  本発明の断面図
【図９】  本発明の分解説明図
【図１０】  本発明の展開説明図
【図１１】  本発明の使用説明図
【符号の説明】
【００２５】１              ロール収納ケースカバー
２              ロール収納ケース本体
３              ガイド体
４              補助カッター刃
５              ケース本体カッター刃
６              軸止め部
７，７ａ，７ｂ  ラップフィルム
１０            クッション材
１１            挿入片
１２            背面部
１３            天部
１４            側面部
１５            前面部
１６            側面接着部
１７            固定板
１８            可動板
【図１】
2008150107.tif 000003
【図２】
2008150107.tif 000004
【図３】
2008150107.tif 000005
【図４】
2008150107.tif 000006
【図５】
2008150107.tif 000007
【図６】
2008150107.tif 000008
【図７】
2008150107.tif 000009
【図８】
2008150107.tif 000010
【図９】
2008150107.tif 000011
【図１０】
2008150107.tif 000012
【図１１】
2008150107.tif 000013